(57)【特許請求の範囲】
【請求項１】
ディジタル移動機を通じたデータ端末への着信を制御する着信選択機能付きデータカードにおいて、
表示部と、
電話番号別に前記着信に対する着信動作が登録された電話番号管理テーブルと、
前記データ端末への着信があると、該着信の発信元電話番号を検出して前記表示部に表示する呼制御部と、
前記呼制御部で検出された発信元電話番号から前記電話番号管理テーブルを参照して前記データ端末への着信に対する着信動作を判断するとともに、該判断した着信動作を示す表示を前記表示部に行わせるデータ処理部とを有し、
前記データ処理部は、前記データ端末への着信後、所定の時間以内に、登録した着信動作と異なるユーザによる着信動作入力があった場合で、所定のコマンドにより前記電話番号管理テーブルの登録内容を変更する旨の指定が予めなされている場合は、前記電話番号管理テーブルに登録されている着信動作の内容を前記ユーザによる着信動作入力に対応する内容に変更することを特徴とする着信選択機能付きデータカード。
【請求項２】
前記呼制御部で検出された発信元電話番号が前記電話番号管理テーブルに登録されていない場合に、無登録の新規発信元である旨を前記表示部に表示するアラーム回路をさらに有し、
前記データ処理部が、前記無登録の新規発信元からの着信に対して予め設定されている着信動作を指示する、請求項１記載の着信選択機能付きデータカード。
【請求項３】
前記アラーム回路が、前記無登録の新規発信元である旨の表示に加えてアラーム信号を出力する、請求項２記載の着信選択機能付きデータカード。
【発明の詳細な説明】
【０００１】
【発明の属する技術分野】
本発明はデジタル移動電話システムに関し、特にディジタル移動機に接続され、無線によるデータ通信を可能とし、データ端末への自動着信を含む着信制御を行うディジタル移動機用の着信選択機能付きデータカードに関する。
【０００２】
【従来の技術】
従来の、着信選択機能付き制御装置は、発信元別に予め設定してある着信動作を行わせるもので、その着信動作は、着信転送、自動応答、自動着信、手動着信（普通の音声通信の受信応答）、が設定されていた。（特開平９−１１６９５５号）
【０００３】
【発明が解決しようとする課題】
上記の従来の技術には、実際の着信時登録のない発信元からの着信あるいは登録外の着信動作をユーザが指定したいときの対策には何らの考慮がない。
本発明の目的は上記の登録のない発信元からの着信およびユーザが登録外の着信動作処理を着信に際して指示する場合の対策が考慮された着信選択機能付きデータカードの提供である。
【０００４】
【課題を解決するための手段】
本発明の着信選択機能付きデータカードは、ディジタル移動機を通じたデータ端末への着信を制御する着信選択機能付きデータカードであって、表示部と、電話番号別に前記着信に対する着信動作が登録された電話番号管理テーブルと、前記データ端末への着信があると、該着信の発信元電話番号を検出して前記表示部に表示する呼制御部と、前記呼制御部で検出された発信元電話番号から前記電話番号管理テーブルを参照して前記データ端末への着信に対する着信動作を判断するとともに、該判断した着信動作を示す表示を前記表示部に行わせるデータ処理部とを有する。前記データ処理部は、前記データ端末への着信後、所定の時間以内に、登録した着信動作と異なるユーザによる着信動作入力があった場合で、所定のコマンドにより前記電話番号管理テーブルの登録内容を変更する旨の指定が予めなされている場合は、前記電話番号管理テーブルに登録されている着信動作の内容を前記ユーザによる着信動作入力に対応する内容に変更する。
【０００５】
【発明の実施の形態】
次に、本発明の着信選択機能付きデータカードの実施の形態について図面を参照して説明する。図1は本発明の着信機能付きデータカードのブロック図である。
【０００６】
図1に示す本発明の着信選択機能付きデータカード１０は、ディジタル移動機インターフェース部１１と、呼制御部１２と、データ処理部１３と、コマンド解析部１４と、データ端末インターフェース部１５と、所定の時間間隔をカウントするリングカウンタ１７と、アラーム回路１８とから構成されている。
【０００７】
データ処理部１３は、電話番号管理テーブル５との情報交換を行う。これら各部はそれぞれ概略次のような機能を有する。
【０００８】
ディジタル移動機インターフェース部１１は、ディジタル移動機１とのインターフェースを制御する。呼処理部１２は、発信元電話番号を検出し、該電話番号を表示部に表示する。データ処理部１３は、電話番号処理部１６を介して、検出した発信元電話番号を基に電話番号管理テーブル５との照合、登録、設定変更を行い、さらに、ユーザが所定時間内に入力した着信動作の指示を読み取って着信動作の判定をし、当該着信動作の制御を行う。コマンド解析部１４は、ATコマンドの解析、設定を行う。 データ端末インターフェース部１５は、データ端末装置４とのインターフェース制御を行う。
【０００９】
次に、図２のフローチャートを参照して本実施の形態の動作について詳細に説明する。
【００１０】
まず、ディジタル移動機１の着信通知に基づきディジタル移動機インタフェース１１を介して呼制御部12が着信の検出するとともにリングカウンタ１７をリセットする（ステップB１）。次に、呼制御部12が発信元の電話番号を検出し、表示部に表示する（ステップＢ２）。 次に、発信元電話番号を元に電話番号処理部16を介して電話番号管理テーブル５を検索する（ステップＢ３）。
【００１１】
ここで、一致する電話番号がなかった場合、データ処理部１３はATコマンド等で設定されている対応する着信動作を判断する（ステップB６）。さらに、ユーザの事前の入力になるATコマンド等での「新規電話番号登録指定あり」の指示の有無を判断し（ステップB８）指示があれば当該電話番号に対する着信動作を登録する（ステップB１０）。登録する指定のない場合では、登録されない。
【００１２】
登録電話番号と検索し（ステップB4）一致した場合、登録電話番号の着信動作を判断（ステップB5）する。
【００１３】
さらにこの時、ATコマンド等で指定されているリング回数以内にユーザからの着信動作入力があったかを判断する（ステップB７）。判断した結果、指定リング回数以内にユーザからの着信動作入力があり、その場合ATコマンド等により「登録内容を変更する」を示す指定であれば、電話番号管理テーブル５の着信動作の設定内容を変更する。 変更する指定がなければ、登録内容は変更せずに指定された着信動作のみを行う。
【００１４】
また、ユーザの判断の参考のために、発信元電話番号とともに、検出された着信動作を示す表示を表示部に表示することも有効である。
【００１５】
また、電話番号処理部16が発信元の電話番号を電話番号管理テーブルから検出できない場合、無登録を示す表示を表示部に表示するとともに、アラーム信号を出力するアラーム回路１８を有し、発信元番号の表示によりユーザの緊急指示を促すこともできる。
【００１６】
また、データ処理装置への着信を常とする相手電話番号には自動着信を、ファクシミリ通信を常とする相手電話番号にはファクシミリ自動着信を、一般の音声通話を常とする相手電話番号には手動着信を設定するのが普通である。
【００１７】
【発明の効果】
以上説明したように本発明の着信選択機能付きデータカードの第１の効果は、発信元電話番号により自動、手動着信を自動的に選択出来ることにある。これにより、例えばデータ通信を行う相手からの着信は自動着信、音声のみの相手からの着信は手動着信と着信動作を自動的に選択することができることである。
【００１８】
その理由は、予め電話番号と着信動作を登録しておき、着信があった際に発信元の電話番号と登録電話番号を照合し、一致した時その電話番号に対応した着信動作を行うためである。
【００１９】
第２の効果は、登録されていない発信元からの着信があった場合、その電話番号を自動的に登録できることにある。これにより、手作業で改めて新規登録する手間が省ける。
【００２０】
その理由は、発信元の電話番号が登録されていなかった場合、予めATコマンド等の設定により「新規電話番号登録指定あり」の状態であれば、着信のあった電話番号を新規登録するためである。
【００２１】
第３の効果は、登録されている着信動作を着信時に変更できることにある。これにより、 改めて設定の変更を行う手間が省ける。
【００２２】
その理由は、例えば自動着信設定の相手からの着信があったときに、自動着信する前に手動着信の動作を行うとその設定が自動着信から手動着信に変更できるためである。また、手動着信設定の相手からの着信があった場合には、予めATコマンド等により「設定されたリング回数以内での着信動作では着信設定の変更あり」の状態であれば設定を変更できるためである。
【図面の簡単な説明】
【図１】本発明の着信選択機能付きデータカードの実施の形態のブロック図である。
【図２】  図1に示すブロック図に対応する動作のフローチャートである。
【符号の説明】
１    ディジタル移動機
２    データ処理部
３    記憶部
４    データ端末装置
１０    データカード
１１    ディジタル移動機インタフェース
１２    呼制御部
１３    データ処理部
１４    コマンド制御部
１５    データ端末インタフェース
１６    電話番号処理部
１７    リングカウンタ
１８    アラ−ム回路
【図１】
0003641436.tif 000002
【図２】
0003641436.tif 000003